(57)【特許請求の範囲】
【請求項１】
料金割引対象のガス使用に伴うガス流量を積算する割引流量積算手段と、前記料金割引対象のガス使用が行われている期間の間、割引使用状態にあることを示す割引信号を発生して出力する割引信号発生手段とを備えるガスメータと、
該ガスメータの前記割引信号発生手段が出力する割引信号に基づいて割引状態にあることを家人に知らせる報知を行う割引報知手段とを備え、
前記割引報知手段は、家人がガスの割引使用状態にあることを知ることのできる屋内に設置されている
ことを特徴とするガス計量システム。
【請求項２】
前記ガスメータが、ガス使用に伴うガス流量を積算し表示する積算流量表示手段をさらに備え、
前記割引流量積算手段は、料金割引対象のガス使用状態を検出する割引検出手段を有し、該割引検出手段による検出に応じて前記料金割引対象のガス使用に伴うガス流量を積算する
ことを特徴とする請求項１記載のガス計量システム。
【請求項３】
前記ガスメータが、前記料金割引対象のガス使用状態は、特定ガス器具により消費されるガス流量に相当するガス流量、一定流量以上のガス流量、一定時間以上の特定流量、特定時間帯・季節のガス使用のいずれか１又は組み合わせからなる
ことを特徴とする請求項２記載のガス計量システム。
【請求項４】
前記割引報知手段は、常時はガスメータに連動して各種の表示を行い、前記割引信号の入力によって割引状態にあることを知らせる表示を行う表示手段からなる
ことを特徴とする請求項３記載のガス計量システム。
【請求項５】
前記割引報知手段は、常時はガスメータに連動して各種の警報を音声又は光により行い、前記割引信号の入力によって割引状態にあることを知らせる警報を行う警報手段からなる
ことを特徴とする請求項３又は４記載のガス計量システム。
【発明の詳細な説明】
【０００１】
【発明の属する技術分野】
本発明はガス計量システムに係り、特に、ガス使用が予め定めた条件に合致しているとき、ガス料金を割り引く設定がされているガス計量システムに関するものである。
【０００２】
【従来の技術】
最近のガスエネルギー販売競争の中で、ガスエネルギー消費の拡大対策が重要なテーマであり、消費者に少しでも多くのガスを使用してもらうことが課題になっている。ガス消費の増大を図るには、ガス消費量の大きい設備を備えて貰うことであり、具体的には、ガスに比較して割安の灯油に代えて暖房にガスを使用して貰うことである。このためには、割高になっているガス料金を割り引くことが考えられる。
【０００３】
このようなことを現実のものとするには、計量法に基づき、通過ガス量を基準公差内で正確にかつ一律に積算することが求められているガスメータによって、計量法上の基準を遵守した上で、サービス料金の計算を可能とするための別積算をすることが求められる。
【０００４】
このようなことができるガスメータとして、従来、現在の使用ガス量が予め定められた一定量増加した場合に、使用増加に相当する使用流量を別に積算する超過流量積算部を備えるようにし、一定流量の使用増加後、所定時間経過してから、使用増加に相当する使用流量を積算するようにしたり、ある特定のガス器具が使用されたとき、この特定のガス器具より作動中であることを示す信号を受け、特定のガス器具のガス使用量に相当するガス量を超過流量積算部にて別に積算するようにしたものが、例えば特開平６−１２３６４９号公報、特開平９−２８７７３５号公報、特開平９−３１８４０７号公報などにて提案されている。
【０００５】
【発明が解決しようとする課題】
上述した提案のガスメータはガスの使用量の増大を図るために考えられたものであるが、料金割引対象のガス流量を別に積算する機能が追加されているに過ぎず、それ以外の機能はそれ以前のものとなんら変わることがない。そのため、ガス使用者が現在のガス使用状態が割引状態にあるかどうかを知るすべがなく、ガス使用者が割引の結果を知ることができるのは、検針の結果により行われるガス料金請求時になってからである。このため、ガス使用者に割引実感がなく、ガス割引効果が薄いという問題があった。
【０００６】
よって本発明は、ガス使用時におけるガス割引実感を持たせてガス消費者に満足感を与え、ガス割引効果をもたらしてガス消費の促進を図るのに有効なガス計量システムを提供することを課題としている。
【０００７】
【課題を解決するための手段】
上記課題を達成するためなされた請求項１記載の発明は、図１の基本構成図に示すように、料金割引対象のガス使用に伴うガス流量を積算する割引流量積算手段１４２ｂ−１と、前記料金割引対象のガス使用が行われている期間の間、割引使用状態にあることを示す割引信号を発生して出力する割引信号発生手段１４２ｂ−２とを備えるガスメータ１４と、該ガスメータの前記割引信号発生手段が出力する割引信号に基づいて割引状態にあることを家人に知らせる報知を行う割引報知手段とを備え、前記割引報知手段は、当該割引報知手段が行う報知によって家人がガスの割引使用状態にあることを知ることのできる屋内に設置されていることを特徴とするガス計量システムに存する。
【０００８】
請求項１記載の発明によれば、ガスメータ１４が有する割引流量積算手段１４２ｂ−１が料金割引対象のガス使用に伴うガス流量を積算するので、この割引流量積算手段１４２ｂ−１で積算したガス流量によりガス料金をサービスすることができるとともに、料金割引対象のガス使用が行われている期間の間、割引信号発生手段１４２ｂ−２が割引使用状態にあることを示す割引信号を発生し、ガスメータ１４の割引信号発生手段が出力する割引信号に基づいて屋内に設置されている割引報知手段１８、２０が割引状態にあることを知らせる報知を行うので、割引報知手段１８、２０が行う報知によって割引状態にあることを家人に知らせることができる。
【０００９】
請求項２記載の発明は、請求項１記載のガス計量システムにおいて、前記ガスメータが、ガス使用に伴うガス流量を積算し表示する積算流量表示手段１４２ｂ−３をさらに備え、前記割引流量積算手段は、料金割引対象のガス使用状態を検出する割引検出手段１４２ｂ−１１を有し、該割引検出手段による検出に応じて前記料金割引対象のガス使用に伴うガス流量を積算することを特徴とするガス計量システムに存する。
【００１０】
請求項２記載の発明によれば、ガスメータが、ガス使用に伴うガス流量を積算し表示する積算流量表示手段１４２ｂ−３を備え、割引流量積算手段が料金割引対象のガス使用状態を検出する割引検出手段１４２ｂ−１１を有し、割引検出手段による検出に応じて料金割引対象のガス使用に伴うガス流量を積算するものであるので、請求項１記載の発明の作用に加え、別個に割引対象のガス流量を積算するガスメータを設備することなく、通常のガス使用に伴うガス流量を積算するガスメータと同じガスメータによって、割引対象のガス流量を積算することができるようになる。
【００１１】
請求項３記載の発明は、請求項２記載のガス計量システムにおいて、前記ガスメータが、前記料金割引対象のガス使用状態は、特定ガス器具により消費されるガス流量に相当するガス流量、一定流量以上のガス流量、一定時間以上の特定流量、特定時間帯・季節のガス使用のいずれか１又は組み合わせからなることを特徴とするガス計量システムに存する。
【００１２】
請求項３記載の発明によれば、料金割引対象のガス使用状態は、特定ガス器具により消費されるガス流量に相当するガス流量、一定流量以上のガス流量、一定時間以上の特定流量、特定時間帯・季節のガス使用のいずれか１又は組み合わせからなるので、請求項２記載の発明の作用に加え、各種のガス使用状態を料金割引対象とすることができる。
【００１５】
請求項４記載の発明は、請求項３記載のガス計量システムにおいて、前記割引報知手段は、常時はガスメータに連動して各種の表示を行い、前記割引信号の入力によって割引状態にあることを知らせる表示を行う表示手段１８からなることを特徴とするガス計量システムに存する。
【００１６】
請求項４記載の発明によれば、割引報知手段は、常時はガスメータに連動して各種の表示を行い、割引信号の入力によって割引状態にあることを知らせる表示を行う表示手段１８からなるので、請求項４記載の発明の作用に加え、ガスメータに連動する既存の表示手段１８によって割引状態にあることを知らせることができる。
【００１７】
請求項５記載の発明は、請求項３又は４記載のガス計量システムにおいて、前記割引報知手段は、常時はガスメータに連動して各種の警報を音声又は光により行い、前記割引信号の入力によって割引状態にあることを知らせる警報を行う警報手段２０からなることを特徴とするガス計量システムに存する。
【００１８】
請求項５記載の発明によれば、割引報知手段は、常時はガスメータに連動して各種の警報を音声又は光により行い、割引信号の入力によって割引状態にあることを知らせる警報を行う警報手段２０からなるので、請求項３又は４記載の発明の作用に加え、ガスメータに連動する既存の警報手段２０によって割引状態にあることを知らせることができる。
【００１９】
【発明の実施の形態】
以下、本発明の実施の形態を図面に基づいて説明する。図２は本発明によるガス計量システムを示し、同図において、１０は例えば地面を示し、地中に埋設されたガス供給配管１２、屋外に設置されたガスメータ１４を経由して屋内外の各種のガス器具１６にガスが供給される。ガスメータ１４内には、ガス供給配管１２を通じて供給されるガスの流速を検知し、検知した流速に応じた流速信号を出力する流速センサ１４０が設けられている。流速センサ１４０が出力する流速信号は予め定めたプログラムに従って動作するマイクロコンピュータ（μＣＯＭ）１４２によって処理される。また、ガスメータ１４内には、屋内に設けた加入者電話機１５１が自動切換器１５２を介して接続されている電話回線Ｌを通じて遠隔の検針センタに検針データを通報するための変復調器（モデム）１４６も設けられている。
【００２０】
μＣＯＭ１４２は、図３に示すように、プログラムや固定データなどを格納する読み出し専用のメモリであるＲＯＭ１４２ａ、このＲＯＭ１４２ａに格納したプログラムに従って各種の演算処理を行う中央処理ユニット（ＣＰＵ）１４２ｂ、ＣＰＵ１４２ｂにおける処理に使用する作業エリアや演算処理結果を格納するデータ格納エリアを有する読み出し書き込み自在のメモリであるＲＡＭ１４２ｃを内蔵する。
【００２１】
ＣＰＵ１４２ｂは、流速センサ１４０から入力する流速信号の処理によってガスメータ１４を通じて下流側に供給されるガスの流量を計測し、この計測したガス流量を積算して積算流量を求め、この求めた積算流量をＲＡＭ１４２ｃ内に形成した通常積算流量格納エリア１４２ｃ１（図４）に格納するとともに表示部１４４に表示させるように機能する。なお、通常積算流量を格納するＲＡＭ１４２ｃは電池電源によってバックアップされ、格納したデータが消失しないようにされるが、電池電源を必要としない不揮発性メモリを別途設けるようにしてもよい。
【００２２】
ＣＰＵ１４２ｂは、流速センサ１４０からの流速信号に基づいて計測した流量に、それ以前に計測した流量と対比して予め定めた所定値以上の増加があるかどうかを判断し、増加していると判断したときには、料金割引対象のガス器具の使用が開始したとし、この開始時点からの計時を、ＲＡＭ１４２ｃ内に形成した計時カウンタエリア１４２ｃ２（図４）を単位時間毎にインクリメントすることにより行う。そして、ＣＰＵ１４２ｂはまた、料金割引対象のガス器具の使用が開始したことを判断すると、割引使用状態にあることを示す割引信号を発生して出力される。
【００２３】
ＣＰＵ１４２ｂから出力された割引信号は、常時はガスメータ１４に連動して各種の表示を行う表示器１８と、同じく常時はガスメータ１４に連動して各種の警報を音声又は光により行う警報器２０とに入力され、割引信号を入力した表示器１８及び警報器２０はともに割引報知手段として働き、ガスが割引使用状態にあることを表示及び音声又は光によって報知する。表示手段としての表示器１８と警報手段としての警報器２０はともに、上記報知によって家人がガスの割引使用状態にあることを知ることのできる屋内に設置されている。
【００２４】
ガスメータ１４のＣＰＵ１４２ｂから割引信号を入力した表示器１８は、他の各種表示と区別して料金割引対象のガス使用状態にあることを知らせる表示を行う。ガスメータ１４のＣＰＵ１４２ｂから割引信号を入力した警報器２０は、他の各種警報と区別して料金割引対象のガス使用状態にあることを知らせる警報を音声又は光によって行う。なお、音声による報知は、一定期間毎に例えば「ガスの使用が割引状態にあります。」という形で行うことができ、光による報知はガス使用状態が割引状態にあるときに例えば予め定めた点滅によって行うことができる。
【００２５】
ＣＰＵ１４２ｂはその後、流速センサ１４０からの流速信号に基づいて計測した流量に、それ以前に計測した流量と対比して予め定めた所定値以上の減少があるかどうかを判断し、減少していると判断したときには、料金割引対象のガス器具の使用が終了したとし、それまで計時カウンタエリア１４２ｃ２を単位時間毎にインクリメントして行っていた料金割引対象のガス器具の使用開始からの計時を停止する。
【００２６】
そして、料金割引対象のガス器具によって消費されるガス流量に相当する流量に、上記計時カウンタエリアの計数値と単位時間とを乗じて料金割引対象のガス器具によって消費されたガスの料金割引対象の通過流量を求める。この料金割引対象の通過流量は、それ以前に上記通常のガス使用量を積算する通常積算流量とは別個に積算して求めＲＡＭ１４２ｃ内に形成した割引積算流量格納エリア１４２ｃ３に格納していた割引積算流量に加算されて積算される。
【００２７】
また、μＣＯＭ１４２内のＣＰＵ１４２ｂは、料金割引対象のガス器具の使用が終了したと判断したときには、それまで、料金割引対象のガス使用状態にあることを知らせる表示を行っていた表示器１８、料金割引対象のガス使用状態にあることを知らせる警報を音声又は光によって行っていた警報器２０の動作を停止させる。
【００２８】
さらに、μＣＯＭ１４２内のＣＰＵ１４２ｂは、μＣＯＭ１４２内に持たせた時計及びカレンダの年月日時分が予め定めた検針日時になったときに、通常積算流量格納エリア１４２ｃ１に格納されている通常積算流量と、割引積算流量格納エリア１４２ｃ３に格納されている割引積算流量とを読み出し、これらをモデム１４６、自動切替器１５２及び電話回線Ｌを介して遠隔の検針センタに自動通報する。
【００２９】
このような通常積算流量と割引積算流量とからなる検針データを受け取った検針センタでは、前回検針時に受け取った通常積算流量及び割引積算流量と今回受け取った通常積算流量及び割引積算流量との差をとって通常ガス使用量及び割引ガス使用量を算出し、通常ガス使用量から割引ガス使用量を差し引いたガス使用量については通常ガス料金を割引ガス使用量については割引料金を課金して請求書を発行することになる。
【００３０】
なお、上述した例では、料金割引対象のガス器具によって消費されたガスの料金割引対象の通過流量を求めるようにしているが、料金割引対象のガス使用状態としては、一定流量以上のガスが使用されたとき、一定時間以上の特定流量のガスが使用されたとき、特定時間帯・季節にガスが使用されたときなどが考えられる。
【００３１】
なお、一定流量以上のガスが使用されたことの検出は、流速センサ１４０からの流速信号に基づいて計測した流量により行われ、一定流量を越えたガス流量を対象として料金を割り引くため、超過分のガス流量を積算するようにする。
【００３２】
また、一定時間以上の特定流量のガスが使用されたことの検出は、流速センサ１４０からの流速信号に基づいて計測した流量が特定流量となっていることを条件にその継続時間を計時することにより行われ、一定時間を超えたガス流量を対象として料金を割り引くため、一定時間を越えた分のガス流量を積算するようにする。
【００３３】
さらに、特定時間帯・季節にガスが使用されたことの検出は、ガスメータ１４のμＣＯＭ１４２内に時計及びカレンダを持たせ、ＣＰＵ１４２ａがこの時計及びカレンダの年月日時分と予め定めた時間帯を定める時分、或いは期間を定める年月日とを比較して時間帯或いは期間内にあるどうかを判断することにより行われ、時間帯或いは期間内でのガス使用を対象として料金を割り引くため、時間帯或いは期間内でのガス流量を積算するようにする。
【００３４】
以上概略説明したガス計量システムの動作の詳細を、ガスメータ１４のμＣＯＭ１４２のＣＰＵ１４２ａが予め定めたプログラムに従って行う処理を示す図５〜図８のフローチャートを参照して以下説明する。
【００３５】
μＣＯＭ１４２のＣＰＵ１４２ａは電源の投入により動作を開始し、その最初の処理ステップＳ１において、ガスメータの基本機能である流量積算処理を行い、続く処理ステップＳ２において料金割引対象のガス使用状態を報知するための割引報知処理を行い、かつ次の処理ステップＳ３において例えば１月に１回定められた日時に行い自動検針のための検針通報処理を行う。
【００３６】
より具体的には、ステップＳ１の流量積算処理は図６に示すようなサブルーチンにて行われ、その最初のステップＳ１１において流速センサ１４０から所定の間隔で流速信号を取り込み、この取り込んだ流速信号に基づいてガス流量を計測する。次にステップＳ１２に進んで、ステップＳ１１において計測したガス流量を積算して通常の積算流量を求め、これをガスメータ１４の表示部１４４に表示する。この通常流量積算は、ステップＳ１１において計測したガス流量をＲＡＭ１４２ｃ内に形成した通常積算流量格納エリア１４２ｃ１に格納されているそれまでの通常積算流量に加算することによって行われる。
【００３７】
その後ステップＳ１３に進み、ここで「１」によって割引対象のガス使用状態にあることを、「０」によって割引対象のガス使用状態にないことをそれぞれ示すフラグＦ１が「１」であるか否かを判定する。フラグＦ１が「１」でステップＳ１３の判定がＹＥＳのときにはステップＳ１４に進んでＲＡＭ１４２ｃ内に形成した計時カウンタエリア１４２ｃ２（図４）をインクリメントしてから図５の元のフローチャートのステップＳ２に進む。
【００３８】
フラグＦ１が「０」でステップＳ１３の判定がＮＯのときにはステップＳ１５に進み、ここで「１」によって割引対象のガス使用状態から使用状態でなくなったことを、「０」によってそれ以外の状態にあることをそれぞれ示すフラグＦ２が「１」であるか否かを判定する。フラグＦ２が「１」でステップＳ１５の判定がＹＥＳのときにはステップＳ１６に進み、ここで上記ステップＳ１４において計時カウンタエリア１４２ｃ２をインクリメントして計時した時間に割引対象のガス流量を乗じて料金割引対象となる通過流量を求め、この求めた通過流量を積算する割引流量積算処理を行う。この割引流量積算は、割引対象となる通過流量をＲＡＭ１４２ｃ内に形成した割引積算流量格納エリア１４２ｃ３に格納されているそれまでの割引積算流量に加算することによって行われる。ステップＳ１６の割引流量積算が終わったら次のステップＳ１７においてフラグＦ２を「０」にしてから、また上記ステップＳ１５の判定がＮＯのときには直ちに図５の元のフローチャートのステップＳ２に進む。
【００３９】
ステップＳ２の報知処理は、図７に示すようなサブルーチンにて行われ、その最初のステップＳ２１において、上記流量積算処理サブルーチンのステップＳ１１において計測したガス流量に基づいて割引対象のガス流量であるか否かを判定し、判定がＹＥＳのときにはステップＳ２２に進んでフラグＦ１が「１」であるか否かを判定する。ステップＳ２２の判定がＮＯであるときにはステップＳ２３に進んでフラグＦ１を「１」にしてからステップＳ２４に進んで割引対象のガス使用状態を報知するための割引信号をオンにしてから図５の元のフローチャートの次のステップＳ３に進む。なお、ステップＳ２２の判定がＹＥＳですでにフラグＦ１が「１」であるときには何もせずにステップＳ３に進む。
【００４０】
なお、上記ステップＳ２１の判定がＮＯのとき、すなわち、割引対象のガス流量でないときにはステップＳ２５に進んでフラグＦ１が「１」であるか否かを判定する。この判定がＹＥＳのときには、割引対象のガス使用状態からそうでないガス使用状態に移行したとしてステップＳ２６に進んでフラグＦ１を「０」にするとともにフラグＦ２を「１」にしてからステップＳ２７に進み、ここで割引対象のガス使用状態を報知するための割引信号をオフにしてから図５の元のフローチャートの次のステップＳ３に進む。また、ステップＳ２５の判定がＮＯのときには何もせずにステップＳ３に進む。
【００４１】
ステップＳ３の検針通報処理は、図８に示すようなサブルーチンにて行われ、その最初のステップＳ３１において予め定めた通報日時であるか否かを時計及びカレンダを参照しながら判定し、判定がＹＥＳで通報日時であるときにはステップＳ３２に進んで通常積算流量格納エリア１４２ｃ１に格納されている通常積算流量と、割引積算流量格納エリア１４２ｃ３に格納されている割引積算流量とを読み出し、これらをモデム１４６、自動切替器１５２及び電話回線Ｌを介して遠隔の検針センタに自動通報してから、判定がＮＯのときには何もせず図の元のフローチャートのステップＳ１に戻る。
【００４２】
以上、フローチャートを参照して行った説明から明らかなように、ガスメータ１４内のμＣＯＭ１４２のＣＰＵ１４２ｂは、プログラムに従って行う処理の実行により、料金割引対象のガス使用に伴うガス流量を積算する割引流量積算手段１４２ｂ−１、料金割引対象のガス使用が行われている期間の間、割引使用状態にあることを示す割引信号を発生して出力する割引信号発生手段１４２ｂ−２、ガス使用に伴うガス流量を積算し表示する積算流量表示手段１４２ｂ−３、料金割引対象のガス使用状態を検出する割引検出手段１４２ｂ−１１としてそれぞれ機能している。
【００４３】
なお、上述した割引報知処理では、割引対象のガス流量の判定の仕方について具体的に説明していないが、料金割引対象のガス使用状態については、上述した通り各種のものが考えられる。
【００４４】
また、実施の形態では、ガスメータに連動した表示器や警報器に対して割引信号を出力して割引状態にあることを知らせる報知を行わせているが、ガスメータが出力する割引信号は、ガス使用時におけるガス割引実感を持たせてガス消費者に満足感を与え、ガス割引効果をもたらしてガス消費の促進を図るために、報知以外の例えば温度制御や暖房の発停などにも使用することができる。
【００４５】
さらに、通常の積算流量計としてのガスメータに本発明を適用した実施の形態を示したが、本発明は割引積算流量のみを計量するガスメータにも適用することができる。
【００４６】
【発明の効果】
以上説明したように請求項１記載の発明によれば、割引信号を用いて料金割引対象のガス使用が行われていることを報知によって割引状態にあることを家人に知らせることができるので、ガス使用時におけるガス割引実感を持たせてガス消費者に満足感を与え、ガス割引効果をもたらしてガス消費の促進を図るのに有効なガス計量システムが得られる。
【００４７】
請求項２記載の発明によれば、別個に割引対象のガス流量を積算するガスメータを設備することなく、通常のガス使用に伴うガス流量を積算するガスメータと同じガスメータによって、割引対象のガス流量を積算することができるようになるので、請求項１記載の効果を奏するガス計量システムが安価に得られる。
【００４８】
請求項３記載の発明によれば、各種のガス使用状態を料金割引対象とすることができるので、請求項１記載の効果に加え、より多彩な割引に対応できるガス計量システムが得られる。
【００５０】
請求項４記載の発明によれば、ガスメータに連動する既存の表示手段の表示によって割引状態にあることを知らせることができるので、請求項３記載の効果を奏するガス計量システムが安価に得られる。
【００５１】
請求項５記載の発明によれば、ガスメータに連動する既存の警報手段によって割引状態にあることを知らせることができるので、請求項３又は４記載の効果を奏するガス計量システムが安価に得られる。
【図面の簡単な説明】
【図１】  本発明によるガス計量システムの基本構成を示すブロック図である。
【図２】  本発明によるガス計量システムのの一実施の形態を示すブロック構成図である。
【図３】  図２中のμＣＯＭ内の構成を示す図である。
【図４】  図３中のμＣＯＭ内のＲＡＭの構成を示す図である。
【図５】  図２中のμＣＯＭ内のＣＰＵが行う処理を示すフローチャートである。
【図６】  図５のフローチャートの一部の具体例であるサブルーチンを示すフローチャートである。
【図７】  図５のフローチャートの他の一部の具体例であるサブルーチンを示すフローチャートである。
【図８】  図５のフローチャートの別の一部の具体例であるサブルーチンを示すフローチャートである。
【符号の説明】
１４            ガスメータ
１４２ｂ−１    割引流量積算手段（ＣＰＵ）
１４２ｂ−２    割引信号発生手段（ＣＰＵ）
１４２ｂ−３    積算流量表示手段（ＣＰＵ）
１４２ｂ−１１  割引検出手段（ＣＰＵ）
１８            割引報知手段、表示手段（表示器）
２０            割引報知手段、警報手段（警報器）
【図１】
0004298888.tif 000002
【図２】
0004298888.tif 000003
【図３】
0004298888.tif 000004
【図４】
0004298888.tif 000005
【図５】
0004298888.tif 000006
【図６】
0004298888.tif 000007
【図７】
0004298888.tif 000008
【図８】
0004298888.tif 000009